(57)【要約】【課題】生ゴミによる悪臭の発生を防止し、ゴミ集積場においてゴミ袋がカラス、猫等の小動物に食い破られ、生ゴミが周囲に散乱するという問題が生ずることを防ぎ、しかも一般家庭等から日々発生する生ゴミに時間的に十分に対処することができるようにした生ゴミ冷凍庫を提供する。【解決手段】容器本体１には、生ゴミ７を収納する生ゴミ収納室９と、該容器本体を密閉する開閉自在の蓋１３と、該生ゴミ収納室を囲む断熱手段１９と、該生ゴミ収納室を冷却して該生ゴミ収納室内の生ゴミを冷凍する冷却手段２１とを備えさせてなることを特徴とする生ゴミ冷凍庫。【選択図】図１
0003132002.tif 000002
【実用新案登録請求の範囲】
【請求項１】
容器本体には、生ゴミを収納する生ゴミ収納室と、該容器本体を密閉する開閉自在の蓋と、該生ゴミ収納室を囲む断熱手段と、該生ゴミ収納室を冷却して該生ゴミ収納室内の生ゴミを冷凍する冷却手段とを備えさせてなることを特徴とする生ゴミ冷凍庫。
【請求項２】
前記容器本体を流し台に取り出し自在に、かつ、前記蓋が開閉自在になるように嵌着したことを特徴とする請求項１に記載の生ゴミ冷凍庫。
【考案の詳細な説明】
【技術分野】
【０００１】
本考案は、生ゴミ冷凍庫に関するものであり、一般家庭、飲食店、商店等において生ずる生ゴミを冷凍状態で保管するための生ゴミ冷凍庫に係るものである。
【０００２】
本考案における「生ゴミ」は、食物残渣等の他、乳幼児用又は大人用のオムツをも含むものとする。また、本考案における「流し台」は、流し台と収納戸棚、調理台、ガス台等とを連続的に配設してなる台所設備として知られている、いわゆる「システムキッチン」をも含むものとする。
【背景技術】
【０００３】
一般に、生ゴミは回収日までゴミ容器又はゴミ袋に収納した状態で建物内又は建物の近傍に保管されるのであるが、生ゴミはゴミ容器又はゴミ袋に収納した状態でも悪臭の発生を免れないため、保管者本人のみならず近隣の人々に不快感を与える。特に、生ゴミをゴミ容器又はゴミ袋に収納する際、あるいは、生ゴミを収納したゴミ容器又はゴミ袋を開口して生ゴミを追加する際等には、作業者に悪臭による著しい不快感を与え、この悪臭は近隣の人々にとっても迷惑である。更に、ゴミ袋に収納した生ゴミを集積したゴミ集積場においても、悪臭の問題が生ずる。
【０００４】
また、ゴミ集積場において、生ゴミを収納したゴミ袋がカラス、猫等の小動物に食い破られ、生ゴミが周囲に散乱するおそれもある。
【０００５】
このような状況下において、実開平９−５０４号公報は、一般家庭において生ずる生ゴミを発酵処理する生ゴミ処理装置を開示している。
【特許文献１】実開平９−５０４号公報
【考案の開示】
【考案が解決しようとする課題】
【０００６】
しかるに、上記従来の生ゴミ処理装置においては生ゴミを発酵処理するのに一定の時間を要するため、一般家庭等から日々発生する生ゴミには時間的に対処することができないという問題がある。また、生ゴミ処理装置は高価である。更に、生ゴミを発酵処理して堆肥が得られるとしても、庭を有しないマンション、アパート等に居住している人にとっては、該堆肥自体の処理に困るという問題が生じている。
【０００７】
生ゴミを収納するゴミ袋を改良し、あるいは消臭剤等を使用しても、悪臭の発生を防止することは困難である。
【０００８】
このような状況に鑑み、本考案は、生ゴミを冷凍することにより生ゴミから悪臭が発生すること自体を防止することに想到した。
【０００９】
すなわち、本考案は、上記諸問題を解決し、生ゴミから悪臭が発生することを防止し、ゴミ集積場においてゴミ袋がカラス、猫等の小動物に食い破られ、生ゴミが周囲に散乱するという問題が生ずることを防ぎ、しかも一般家庭等から日々発生する生ゴミに時間的に十分に対処することができるようにした生ゴミ冷凍庫を提供しようとしてなされたものである。
【課題を解決するための手段】
【００１０】
上記課題を解決するために、本考案は、下記の生ゴミ冷凍庫を提供する。
【００１１】
（１）容器本体には、生ゴミを収納する生ゴミ収納室と、該容器本体を密閉する開閉自在の蓋と、該生ゴミ収納室を囲む断熱手段と、該生ゴミ収納室を冷却して該生ゴミ収納室内の生ゴミを冷凍する冷却手段とを備えさせてなることを特徴とする生ゴミ冷凍庫（請求項１）。
【００１２】
（２）前記容器本体を流し台に取り出し自在に、かつ、前記蓋が開閉自在になるように嵌着する（請求項２）。
【考案の効果】
【００１３】
［請求項１の考案］
生ゴミ収納室内に収納された生ゴミは、冷却手段により冷凍されるため、悪臭を発生するおそれがない。従って、容器本体の蓋を開いたとき、生ゴミをゴミ集積場に運搬するとき、生ゴミを集積場に集積したとき等に生ゴミが悪臭を発するおそれがない。したがって、近隣の人々に悪臭による迷惑を及ぼすおそれもない。なお、生ゴミを収納していたゴミ容器又はゴミ袋を破砕し又はコンパクトにした状態で、生ゴミと共に冷凍することにより、悪臭の発生をより効果的に防止することができる。
【００１４】
また、生ゴミは冷凍状態にあるため、取扱者の手を汚すおそれがないだけでなく、ゴミ集積場にて生ゴミがカラス、猫等の小動物に食い荒らされ、生ゴミが周囲に散乱するおそれもない。
【００１５】
更に、生ゴミの冷凍に要する時間は、発酵処理に要する時間に比べて、極めて短いため、生ゴミ冷凍庫は日々発生する生ゴミにも十分に対処することができる。
【００１６】
［請求項２の考案］
生ゴミは流し台の近辺から発生することが多いため、生ゴミ冷凍庫の容器本体を流し台に取り出し自在に、かつ、前記蓋が開閉自在になるように嵌着することにより、生ゴミ冷凍庫の使い勝手が著しく向上する。
【考案を実施するための最良の形態】
【００１７】
符号１に示すものは生ゴミ冷凍庫の容器本体である。
【００１８】
図１に示す容器本体１は、外ケース３と内ケース５とを有し、該内ケース５内を生ゴミ７を収納する生ゴミ収納室９となしている。
【００１９】
外ケース３は、金属又は合成樹脂により形成される。
【００２０】
内ケース５は、好ましくは、アルミニウム、ステンレス鋼、銅等の如き熱伝導に優れた金属により形成される。
【００２１】
図１に示す容器本体１は、開口上端１１を備え、該開口上端１１を密閉する開閉自在の蓋１３を備えている。符号１５に示すものは蓋１３に取り付けられた取っ手である。
【００２２】
蓋１３は、一例として、容器本体１の上縁に配設されたヒンジ１７を介して容器本体１に開閉自在に取り付けられる。
【００２３】
生ゴミ収納室９は断熱手段１９により囲まれている。すなわち、図１に示す事例においては、生ゴミ収納室９を形成する内ケース５の外面と蓋１３の内面とに断熱手段１９として断熱材が配設されている。
【００２４】
更に、容器本体１は、生ゴミ収納室９を冷却して該生ゴミ収納室９内の生ゴミ７を冷凍する冷却手段２１を備えている。
【００２５】
冷却手段２１としては、一例として、図１に示すように、ペルチェ素子２３を用いる。
【００２６】
すなわち、ペルチェ素子２３は、電源（図示せず。）から直流電流を供給したときに、ペルチェ効果により、一方の吸熱面２５から吸熱し、他方の発熱面２７から発熱するものであって、該吸熱面２５を内ケース５の外面に当接させることにより、生ゴミ収納室９を冷却する。
【００２７】
符号２９に示すものは、ペルチェ素子２３が吸熱面２５から吸熱し、発熱面２７から発熱した熱を外部に放熱させるための放熱フィンである。
【００２８】
符号３１に示すものは、放熱フィン２９の放熱効果を高めるためのファンである。
【００２９】
図１に示す事例においては、生ゴミ収納室９内にフック等の係止手段３３を介して合成樹脂製のゴミ袋３５を着脱自在に取り付けている。
【００３０】
また、図１に示す事例においては、合成樹脂製のゴミ袋３５が内ケース５の内面に接触することを防止するために、該内ケース５の内面に遮蔽手段３７を配設している。
【００３１】
遮蔽手段３７は、例えば、合成樹脂製の板状体又は網状体とする。
【００３２】
生ゴミ冷凍庫は水洗い、丸洗いが可能である。
【００３３】
図２に示す事例においては、生ゴミ冷凍庫を流し台４１に嵌着している。
【００３４】
すなわち、容器本体１を流し台４１に取り出し自在に、かつ、前記蓋１３が開閉自在になるように嵌着している。
【００３５】
符号４３に示すものは流し台４１に設けられたシンクであり、符号４５に示すものは水道の蛇口である。
【図面の簡単な説明】
【００３６】
【図１】本考案による生ゴミ冷凍庫の一例を示す断面図である。
【図２】同上生ゴミ冷凍庫の別の一例を示す斜視図である。
【符号の説明】
【００３７】
１  容器本体
３  外ケース
５  内ケース
７  生ゴミ
９  生ゴミ収納室
１１  開口上端
１３  蓋
１５  取っ手
１７  ヒンジ
１９  断熱手段
２１  冷却手段
２３  ペルチェ素子
２５  吸熱面
２７  発熱面
２９  放熱フィン
３１  ファン
３３  係止手段
３５  ゴミ袋
３７  遮蔽手段
４１  流し台
４３  シンク
４５  蛇口
【図１】
0003132002.tif 000003
【図２】
0003132002.tif 000004